(57)【要約】 【課題】無線通信システムにおいて上りリンク送信と下りリンク送信の間の干渉を減少するために、基地局が下りリンク信号を送信する方法に関する。【解決手段】下りリンク送信電力を他の領域に比べて低くして送信する、電力減少領域を設定する段階、電力減少領域に対応する第１送信ブロックと電力減少領域に対応しない第２送信ブロックとを区分して生成する段階、下りリンクデータを第１送信ブロック及び第２送信ブロックの各々にマッピングする段階、及び第１送信ブロックを電力減少領域に割り当てられた電力で送信し、第２送信ブロックを電力減少領域以外の領域に割り当てられた電力で送信することを特徴とする。【選択図】図９
2019533349.tif 000002
【特許請求の範囲】
【請求項１】
無線通信システムにおいて、基地局が下りリンク信号を送信する方法において、
下りリンク送信電力を他の領域に比べて低くして送信する、電力減少領域を設定する段階と、
前記電力減少領域に対応する第１伝送ブロックと前記電力減少領域に対応しない第２伝送ブロックを区分して生成する段階と、
下りリンクデータを前記第１伝送ブロック及び前記第２伝送ブロックの各々にマッピングする段階と、
前記第１伝送ブロックを前記電力減少領域に割り当てられた電力で送信し、前記第２伝送ブロックを前記電力減少領域以外の領域に割り当てられた電力で送信する段階と、を含む、下りリンク信号送信方法。
【請求項２】
前記電力減少領域に割り当てられる電力は、
前記電力減少領域以外の領域に割り当てられる電力にオフセットを適用して決定される、請求項１に記載の下りリンク信号送信方法。
【請求項３】
前記電力減少領域に割り当てられる電力は、
前記電力減少領域以外の領域に割り当てられる電力に既に設定された比率値を適用して決定される、請求項１に記載の下りリンク信号送信方法。
【請求項４】
前記基地局と隣の基地局の送受信タイミングが同期化される場合、上りリンク送信のために予約された領域を前記電力減少領域として設定し、
前記基地局と隣の基地局の送受信タイミングが同期化されない場合は、前記電力減少領域は上位階層により設定される、請求項１に記載の下りリンク信号送信方法。
【請求項５】
さらに前記電力減少領域に関する情報を下りリンク制御情報（ＤＣＩ）に含ませて端末に送信する段階を含む、請求項１に記載の下りリンク信号送信方法。
【請求項６】
さらに前記電力減少領域として設定可能な１つ以上の候補領域に関する情報を上位階層シグナリングにより端末に送信する段階を含む、請求項１に記載の下りリンク信号送信方法。
【請求項７】
前記電力減少領域は隣のセルから受信したトラピック情報に基づいて設定される、請求項１に記載の下りリンク信号送信方法。
【請求項８】
前記電力減少領域は下りリンク信号の種類及び上りリンク信号の種類により設定された優先信号に基づいて設定される、請求項１に記載の下りリンク信号送信方法。
【請求項９】
無線通信システムにおいて、下りリンク信号を送信する基地局において、
端末と無線信号を送受信するＲＦユニットと、
前記ＲＦユニットに連結され、下りリンク送信電力を他の領域に比べて低くして送信する電力減少領域を設定し、前記電力減少領域に対応する第１伝送ブロックと前記電力減少領域に対応しない第２伝送ブロックを区分して生成し、下りリンクデータを前記第１伝送ブロックと前記第２伝送ブロックの各々にマッピングして、前記第１伝送ブロックを前記電力減少領域に割り当てられた電力で送信し、前記第２伝送ブロックを前記電力減少領域以外の領域に割り当てられた電力で送信するプロセッサと、を含む、基地局。
【請求項１０】
前記電力減少領域に割り当てられる電力は、
前記電力減少領域以外の領域に割り当てられる電力にオフセットを適用して決定される、請求項９に記載の基地局。
【請求項１１】
前記電力減少領域に割り当てられる電力は、
前記電力減少領域以外の領域に割り当てられる電力に既に設定された比率値を適用して決定される、請求項９に記載の基地局。
【請求項１２】
前記基地局と隣の基地局の送受信タイミングが同期化される場合、上りリンク送信のために予約された領域を前記電力減少区間として設定し、
前記基地局と隣の基地局の送受信タイミングが同期化されない場合は、前記電力減少領域は上位階層により設定される、請求項９に記載の基地局。
【請求項１３】
前記プロセッサは、
前記電力減少領域に関する情報を下りリンク制御情報（ＤＣＩ）に含ませて前記端末に送信する、請求項９に記載の基地局。
【請求項１４】
前記プロセッサは、
前記電力減少領域として設定可能な１つ以上の候補領域に関する情報を上位階層シグナリングにより端末に送信する、請求項９に記載の基地局。
【請求項１５】
前記電力減少領域は隣のセルから受信したトラピック情報に基づいて設定される、請求項９に記載の基地局。
【請求項１６】
前記電力減少領域は下りリンク信号の種類及び上りリンク信号の種類によって設定された優先順位に基づいて設定される、請求項９に記載の基地局。
【請求項１７】
無線通信システムにおいて、端末が上りリンク信号を送信する方法において、
上りリンク送信電力を他の領域に比べて低くして送信する電力減少領域を設定する段階と、
前記電力減少領域に対応する第１伝送ブロックと前記電力減少領域に対応しない第２伝送ブロックを区分して生成する段階と、
上りリンクデータを前記第１伝送ブロック及び前記第２伝送ブロックの各々にマッピングする段階と、
前記第１伝送ブロックを前記電力減少領域に割り当てられた電力で送信する段階と、
前記第２伝送ブロックを前記電力減少領域以外の領域に割り当てられた電力で送信する段階と、を含む、上りリンク信号送信方法。
【請求項１８】
無線通信システムにおいて、上りリンク信号を送信する端末において、
基地局と無線信号を送受信するＲＦユニットと、
前記ＲＦユニットに連結され、上りリンク送信電力を他の領域に比べて低くして送信する、電力減少領域を設定し、前記電力減少領域に対応する第１伝送ブロックと前記電力減少領域に対応しない第２伝送ブロックを区分して生成し、上りリンクデータを前記第１伝送ブロックと前記第２伝送ブロックの各々にマッピングして、前記第１伝送ブロックを前記電力減少領域に割り当てられた電力で送信し、前記第２伝送ブロックを前記電力減少領域以外の領域に割り当てられた電力で送信するプロセッサと、を含む、端末。
【発明の詳細な説明】
【技術分野】
【０００１】
本発明は、無線通信システムにおいて、上りリンク信号と下りリンク信号の間の干渉を減少する方法及びそのための装置に関し、より詳しくは、電力減少動作を行う区間設定によって、下りリンク信号の電力を調整して上りリンク信号と下りリンク信号の間の干渉を減少させる方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は、無線通信システムの一例としてＥ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進展したシステムであり、現在３ＧＰＰで基礎的な標準化作業が進行中である。一般に、Ｅ−ＵＭＴＳをＬＴＥ(Ｌｏｎｇ Ｔｅｒｍ Ｅｖｏｌｕｔｉｏｎ)システムとも言える。ＵＭＴＳ及びＥ−ＵＭＴＳの技術規格(ｔｅｃｈｎｉｃａｌ ｓｐｅｃｉｆｉｃａｔｉｏｎ)の詳細な内容については、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ７及びＲｅｌｅａｓｅ８を参照できる。
【０００４】
図１を参照すると、Ｅ−ＵＭＴＳは、端末(Ｕｓｅｒ Ｅｑｕｉｐｍｅｎｔ；ＵＥ)、基地局(ｅＮｏｄｅＢ；ｅＮＢ)、及びネットワーク(Ｅ−ＵＴＲＡＮ)の終端に位置して、外部ネットワークに接続するアクセスゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。互いに異なるセルは、互いに異なる帯域幅を提供するように設定される。基地局は、複数の端末に対するデータ送受信を制御する。下りリンク(Ｄｏｗｎｌｉｎｋ；ＤＬ)データに対して、基地局は下りリンクスケジューリング情報を送信し、該当端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク(Ｃｏｒｅ Ｎｅｔｗｏｒｋ；ＣＮ)は、ＡＧ、及び端末のユーザ登録などのためのネットワークノードなどで構成可能である。ＡＧは、複数のセルで構成されるＴＡ(Ｔｒａｃｋｉｎｇ Ａｒｅａ)単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明の目的は、無線通信システムにおいて、上りリンク信号と下りリンク信号の間の干渉を減少させる方法及びそのための装置を提供することにある。
【０００８】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００９】
本発明の実施例による無線通信システムにおいて、基地局が下りリンク信号を送信する方法において、下りリンク送信電力を他の領域に比べて低くして送信する、電力減少領域を設定する段階、電力減少領域に対応する第１伝送ブロックと電力減少領域に対応しない第２伝送ブロックを区分して生成する段階、下りリンクデータを第１伝送ブロック及び第２伝送ブロックの各々にマッピングする段階、及び第１伝送ブロックを電力減少領域に割り当てられた電力で送信し、第２伝送ブロックを電力減少領域以外の領域に割り当てられた電力で送信する段階を含む。
【００１０】
この時、電力減少領域に割り当てられる電力は、電力減少領域以外の領域に割り当てられる電力にオフセットを適用して決定できる。
【００１１】
また、電力減少領域に割り当てられる電力は、電力減少領域以外の領域に割り当てられる電力に既に設定された比率値を適用して決定できる。
【００１２】
また、基地局と隣の基地局の送受信タイミングが同期化される場合、上りリンク送信のために予約された領域を電力減少領域として設定し、基地局と隣の基地局の送受信タイミングが同期化されない場合は、電力減少領域は上位階層により設定される。
【００１３】
さらに電力減少領域に関する情報をＤＣＩ(Ｄｏｗｎｌｉｎｋ Ｃｏｎｔｒｏｌ Ｉｎｆｏｒｍａｔｉｏｎ)に含ませて端末に送信する段階を含む。
【００１４】
また、電力減少領域として設定可能な１つ以上の候補領域に関する情報を上位階層シグナリングにより端末に送信することができる。
【００１５】
また、電力減少領域は隣のセルから受信したトラピック情報に基づいて設定される。
【００１６】
また、電力減少領域は下りリンク信号の種類及び上りリンク信号の種類により設定された優先信号に基づいて設定される。
【００１７】
本発明による無線通信システムにおいて、下りリンク信号を送信する基地局において、基地局は端末と無線信号を送受信するＲＦユニット、及びＲＦユニットに連結され、下りリンク送信電力を他の領域に比べて低くして送信する電力減少領域を設定し、電力減少領域に対応する第１伝送ブロックと電力減少領域に対応しない第２伝送ブロックを区分して生成し、下りリンクデータを第１伝送ブロックと第２伝送ブロックの各々にマッピングして、第１伝送ブロックを電力減少領域に割り当てられた電力で送信し、第２伝送ブロックを電力減少領域以外の領域に割り当てられた電力で送信するプロセッサを含む。
【００１８】
この時、電力減少領域に割り当てられる電力は、電力減少領域以外の領域に割り当てられる電力にオフセットを適用して決定できる。
【００１９】
また、電力減少領域に割り当てられる電力は、電力減少領域以外の領域に割り当てられる電力に既に設定された比率値を適用して決定できる。
【００２０】
また、基地局と隣の基地局の送受信タイミングが同期化される場合、上りリンク送信のために予約された領域を電力減少区間として設定し、基地局と隣の基地局の送受信タイミングが同期化されない場合は、電力減少領域は上位階層により設定される。
【００２１】
さらにプロセッサは電力減少領域に関する情報をＤＣＩ(Ｄｏｗｎｌｉｎｋ Ｃｏｎｔｒｏｌ Ｉｎｆｏｒｍａｔｉｏｎ)に含ませて端末に送信する。
【００２２】
また、プロセッサは電力減少領域として設定可能な１つ以上の候補領域に関する情報を上位階層シグナリングにより端末に送信する。
【００２３】
また、電力減少領域は隣のセルから受信したトラピック情報に基づいて設定される。
【００２４】
また、電力減少領域は下りリンク信号の種類及び上りリンク信号の種類によって設定された優先順位に基づいて設定される。
【００２５】
本発明の実施例による無線通信システムにおいて、端末が上りリンク信号を送信する方法において、上りリンク送信電力を他の領域に比べて低くして送信する、電力減少領域を設定する段階、電力減少領域に対応する第１伝送ブロックと電力減少領域に対応しない第２伝送ブロックを区分して生成する段階、上りリンクデータを第１伝送ブロック及び第２伝送ブロックの各々にマッピングする段階、及び第１伝送ブロックを電力減少領域に割り当てられた電力で送信し、第２伝送ブロックを電力減少領域以外の領域に割り当てられた電力で送信する段階を含む。
【００２６】
本発明による、無線通信システムにおいて、上りリンク信号を送信する端末は、基地局と無線信号を送受信するＲＦユニット、及びＲＦユニットに連結され、上りリンク送信電力を他の領域に比べて低くして送信する、電力減少領域を設定し、電力減少領域に対応する第１伝送ブロックと電力減少領域に対応しない第２伝送ブロックを区分して生成し、上りリンクデータを第１伝送ブロックと第２伝送ブロックの各々にマッピングして、第１伝送ブロックを電力減少領域に割り当てられた電力で送信し、第２伝送ブロックを電力減少領域以外の領域に割り当てられた電力で送信するプロセッサを含む。
【発明の効果】
【００２７】
本発明によれば、下りリンク信号と上りリンク信号の間のセル間干渉(Ｉｎｔｅｒ−ｃｅｌｌ ｉｎｔｅｒｆｅｒｅｎｃｅ)又はセル内における干渉(Ｉｎｔｒａ−ｃｅｌｌ ｉｎｔｅｒｆｅｒｅｎｃｅ)を効果的に軽減することができる。
【００２８】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２９】
【図１】無線通信システムの一例としてＥ−ＵＭＴＳネットワーク構造を示す概略図である。
【図２】３ＧＰＰ無線接続ネットワーク規格に基づく端末とＥ−ＵＴＲＡＮ間の無線インターフェースプロトコル(Ｒａｄｉｏ Ｉｎｔｅｒｆａｃｅ Ｐｒｏｔｏｃｏｌ)のコントロールプレーン(Ｃｏｎｔｒｏｌ Ｐｌａｎｅ)及びユーザプレーン(Ｕｓｅｒ Ｐｌａｎｅ)構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を示す図である。
【図７】ＴＸＲＵとアンテナ要素との連結方式の一例を示す図である。
【図８】自己完結型(Ｓｅｌｆ−ｃｏｎｔａｉｎｅｄ)サブフレーム構造の一例を示す図である。
【図９】本発明の実施例による電力減少区間によって電力を制御する方法を示す図である。
【図１０】本発明の実施例による通信装置を例示するブロック構成図である。
【発明を実施するための形態】
【００３０】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００３１】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００３２】
また、本明細書では、基地局をＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継機(ｒｅｌａｙ)などを含む包括的な名称として使うことができる。
【００３３】
図２は、３ＧＰＰ無線接続網規格に基づく端末とＥ−ＵＴＲＡＮとの間の無線インターフェースプロトコル(Ｒａｄｉｏ Ｉｎｔｅｒｆａｃｅ Ｐｒｏｔｏｃｏｌ)のコントロールプレーン及びユーザプレーンの構造を示す図である。コントロールプレーンとは、端末(Ｕｓｅｒ Ｅｑｕｉｐｍｅｎｔ；ＵＥ)とネットワークとが信号を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００３４】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位の媒体接続制御(Ｍｅｄｉｕｍ Ａｃｃｅｓｓ Ｃｏｎｔｒｏｌ)層とは送信チャネル(Ｔｒａｎｓｐｏｒｔ Ｃｈａｎｎｅｌ)を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいてＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３５】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を通じて、上位層である無線リンク制御(Ｒａｄｉｏ Ｌｉｎｋ Ｃｏｎｔｒｏｌ；ＲＬＣ)層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰｖ４やＩＰｖ６のようなＩＰパケットを効率的に送信するために、余分の制御情報を減らすヘッダー圧縮(Ｈｅａｄｅｒ Ｃｏｍｐｒｅｓｓｉｏｎ)機能を果たす。
【００３６】
第３層の最下部に位置する無線リソース制御(Ｒａｄｉｏ Ｒｅｓｏｕｒｃｅ Ｃｏｎｔｒｏｌ；ＲＲＣ)層は、コントロールプレーンにのみ定義される。ＲＲＣ層は、無線ベアラー(Ｒａｄｉｏ Ｂｅａｒｅｒ)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して、論理チャネル、送信チャネル及び物理チャネルの制御を担当する。無線ベアラー(ＲＢ)とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続(ＲＲＣ Ｃｏｎｎｅｃｔｅｄ)がある場合に、端末はＲＲＣ接続状態(Ｃｏｎｎｅｃｔｅｄ Ｍｏｄｅ)にあり、そうでない場合は、ＲＲＣ休止状態(Ｉｄｌｅ Ｍｏｄｅ)にあるようになる。ＲＲＣ層の上位にあるＮＡＳ(Ｎｏｎ−Ａｃｃｅｓｓ Ｓｔｒａｔｕｍ)層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００３７】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージは、下りＳＣＨを通じて送信されてもよく、別の下りＭＣＨ(Ｍｕｌｔｉｃａｓｔ Ｃｈａｎｎｅｌ)を通じて送信されてもよい。一方、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャネルの上位に存在し、送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００３８】
図３は、３ＧＰＰシステムに用いられる物理チャネル及びこれらのチャネルを用いた一般の信号送信方法を説明するための図である。
【００３９】
端末は、電源が入ったり、新しくセルに進入したりした場合に、基地局と同期を取る等の初期セル探索(Ｉｎｉｔｉａｌ ｃｅｌｌ ｓｅａｒｃｈ)作業を行う(Ｓ３０１)。そのために、端末は、基地局からプライマリ同期チャネル(Ｐｒｉｍａｒｙ Ｓｙｎｃｈｒｏｎｉｚａｔｉｏｎ Ｃｈａｎｎｅｌ；Ｐ−ＳＣＨ)及びセカンダリ同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信して基地局と同期を取り、セルＩＤなどの情報を取得すればよい。その後、端末は、基地局から物理放送チャネル(Ｐｈｙｓｉｃａｌ Ｂｒｏａｄｃａｓｔ Ｃｈａｎｎｅｌ)を受信し、セル内放送情報を取得できる。一方、端末は、初期セル探索段階で、下りリンク参照信号(Ｄｏｗｎｌｉｎｋ Ｒｅｆｅｒｅｎｃｅ Ｓｉｇｎａｌ；ＤＬ ＲＳ)を受信し、下りリンクチャネル状態を確認できる。
【００４０】
初期セル探索を終えた端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)、及び該ＰＤＣＣＨに載せられた情報に基づいて物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を取得できる(Ｓ３０２)。
【００４１】
一方、基地局に最初に接続したり信号送信のための無線リソースがない場合には、端末は、基地局にランダムアクセス手順(Ｒａｎｄｏｍ Ａｃｃｅｓｓ Ｐｒｏｃｅｄｕｒｅ；ＲＡＣＨ)を行ってよい(Ｓ３０３乃至Ｓ３０６)。そのために、端末は、物理ランダムアクセスチャネル(Ｐｈｙｓｉｃａｌ Ｒａｎｄｏｍ Ａｃｃｅｓｓ Ｃｈａｎｎｅｌ；ＰＲＡＣＨ)を通じて特定シーケンスをプリアンブルとして送信し(Ｓ３０３及びＳ３０５)、ＰＤＣＣＨ及び対応するＰＤＳＣＨを通じて、プリアンブルに対する応答メッセージを受信すればよい(Ｓ３０４及びＳ３０６)。競合ベースのＲＡＣＨについては、競合解決手順(Ｃｏｎｔｅｎｔｉｏｎ Ｒｅｓｏｌｕｔｉｏｎ Ｐｒｏｃｅｄｕｒｅ)をさらに行ってもよい。
【００４２】
上述の手順を行った端末は、その後、一般的な上りリンク／下りリンク信号送信手順として、ＰＤＣＣＨ／ＰＤＳＣＨ受信(Ｓ３０７)、及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)送信(Ｓ３０８)を行えばよい。特に、端末はＰＤＣＣＨを通じて下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報のような制御情報を含んでおり、その使用目的によってフォーマットが異なっている。
【００４３】
一方、端末が上りリンクを通じて基地局に送信する又は端末が基地局から受信する制御情報としては、下りリンク／上りリンクＡＣＫ／ＮＡＣＫ信号、ＣＱＩ(Ｃｈａｎｎｅｌ Ｑｕａｌｉｔ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムでは、端末は、これらのＣＱＩ／ＰＭＩ／ＲＩなどの制御情報をＰＵＳＣＨ及び／又はＰＵＣＣＨを通じて送信してもよい。
【００４４】
図４は、ＬＴＥシステムで用いられる無線フレームの構造を例示する図である。
【００４５】
図４を参照すると、無線フレーム(ｒａｄｉｏ ｆｒａｍｅ)は１０ｍｓ(３２７２００×Ｔｓ)の長さを有し、１０個の均等なサイズのサブフレーム(ｓｕｂｆｒａｍｅ)で構成されている。それぞれのサブフレームは１ｍｓの長さを有し、２個のスロット(ｓｌｏｔ)で構成されている。それぞれのスロットは０．５ｍｓ(１５３６０×Ｔｓ)の長さを有する。ここで、Ｔｓはサンプリング時間を表し、Ｔｓ＝１／(１５ｋＨｚ×２０４８)＝３．２５５２×１０−８(約３３ｎｓ)で表示される。スロットは時間領域において複数のＯＦＤＭシンボルを含み、周波数領域において複数のリソースブロック(Ｒｅｓｏｕｒｃｅ Ｂｌｏｃｋ；ＲＢ)を含む。ＬＴＥシステムにおいて一つのリソースブロックは１２個の副搬送波×７(６)個のＯＦＤＭシンボルを含む。データの送信される単位時間であるＴＴＩ(Ｔｒａｎｓｍｉｓｓｉｏｎ Ｔｉｍｅ Ｉｎｔｅｒｖａｌ)は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００４６】
図５は、下りリンク無線フレームにおいて一つのサブフレームの制御領域に含まれる制御チャネルを例示する図である。
【００４７】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号(Ｒｅｆｅｒｅｎｃｅ Ｓｉｇｎａｌ(ＲＳ)又はＰｉｌｏｔ Ｓｉｇｎａｌ)を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)、ＰＨＩＣＨ(Ｐｈｙｓｉｃａｌ Ｈｙｂｒｉｄ−ＡＲＱ Ｉｎｄｉｃａｔｏｒ ＣＨａｎｎｅｌ)、ＰＤＣＣＨ(Ｐｈｙｓｉｃａｌ Ｄｏｗｎｌｉｎｋ Ｃｏｎｔｒｏｌ ＣＨａｎｎｅｌ)などがある。
【００４８】
ＰＣＦＩＣＨは物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ(Ｒｅｓｏｕｒｃｅ Ｅｌｅｍｅｎｔ Ｇｒｏｕｐ)で構成され、それぞれのＲＥＧはセルＩＤ(Ｃｅｌｌ ＩＤｅｎｔｉｔｙ)に基づいて制御領域内に分散される。一つのＲＥＧは４個のＲＥ(Ｒｅｓｏｕｒｃｅ Ｅｌｅｍｅｎｔ)で構成される。ＲＥは、１副搬送波×１ＯＦＤＭシンボルと定義される最小物理リソースを表す。ＰＣＦＩＣＨ値は帯域幅によって１〜３又は２〜４の値を指示し、ＱＰＳＫ(Ｑｕａｄｒａｔｕｒｅ Ｐｈａｓｅ Ｓｈｉｆｔ Ｋｅｙｉｎｇ)で変調される。
【００４９】
ＰＨＩＣＨは、物理ＨＡＲＱ(Ｈｙｂｒｉｄ−Ａｕｔｏｍａｔｉｃ Ｒｅｐｅａｔ ａｎｄ ｒｅｑｕｅｓｔ)指示子チャネルで、上りリンク送信に対するＨＡＲＱ ＡＣＫ／ＮＡＣＫを運ぶために用いられる。即ち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定(ｃｅｌｌ−ｓｐｅｃｉｆｉｃ)にスクランブル(ｓｃｒａｍｂｌｉｎｇ)される。ＡＣＫ／ＮＡＣＫは１ビットで指示され、ＢＰＳＫ(Ｂｉｎａｒｙ ｐｈａｓｅ ｓｈｉｆｔ ｋｅｙｉｎｇ)で変調される。変調されたＡＣＫ／ＮＡＣＫは拡散因子(Ｓｐｒｅａｄｉｎｇ Ｆａｃｔｏｒ；ＳＦ)＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ(グループ)は周波数領域及び／又は時間領域においてダイバーシティ得を得るために３回繰り返し(ｒｅｐｅｔｉｔｉｏｎ)される。
【００５０】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)のリソース割り当てに関する情報、上りリンクスケジューリンググラント(Ｕｐｌｉｎｋ Ｓｃｈｅｄｕｌｉｎｇ Ｇｒａｎｔ)、ＨＡＲＱ情報などを各端末又は端末グループに知らせる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを通じて送信される。従って、基地局と端末は一般に、特定の制御情報又は特定のサービスデータ以外は、ＰＤＳＣＨを通じてデータをそれぞれ送信及び受信する。
【００５１】
ＰＤＳＣＨのデータがいずれの端末(一つ又は複数の端末)に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣマスクされており、「Ｂ」という無線リソース(例えば、周波数位置)及び「Ｃ」というＤＣＩフォーマット、即ち、送信形式情報(例えば、送信ブロックサイズ、変調方式、コーディング情報など)を用いて送信されるデータに関する情報が、特定サブフレームで送信されると仮定する。この場合、セル内の端末は、自身が持っているＲＮＴＩ情報を用いて検索領域でＰＤＣＣＨをモニタリング、即ち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００５２】
図６は、ＬＴＥシステムで用いられる上りリンクサブフレームの構造を示す図である。
【００５３】
図６を参照すると、上りリンクサブフレームは、制御情報を運ぶＰＵＣＣＨ(Ｐｈｙｓｉｃａｌ Ｕｐｌｉｎｋ Ｃｏｎｔｒｏｌ ＣＨａｎｎｅｌ)が割り当てられる領域と、ユーザデータを運ぶＰＵＳＣＨ(Ｐｈｙｓｉｃａｌ Ｕｐｌｉｎｋ Ｓｈａｒｅｄ ＣＨａｎｎｅｌ)が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ(Ｃｈａｎｎｅｌ Ｑｕａｌｉｔｙ Ｉｎｄｉｃａｔｏｒ)、ＭＩＭＯのためのＲＩ(Ｒａｎｋ Ｉｎｄｉｃａｔｏｒ)、上りリンクリソース割り当て要請であるＳＲ(Ｓｃｈｅｄｕｌｉｎｇ Ｒｅｑｕｅｓｔ)などがある。一つの端末に対するＰＵＣＣＨは、サブフレーム内の各スロットで互いに異なる周波数を占める一つのリソースブロックを使用する。即ち、ＰＵＣＣＨに割り当てられる２個のリソースブロックはスロット境界で周波数ホッピング(ｆｒｅｑｕｅｎｃｙ ｈｏｐｐｉｎｇ)する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００５４】
以下、チャネル状態情報(ｃｈａｎｎｅｌ ｓｔａｔｅ ｉｎｆｏｒｍａｔｉｏｎ，ＣＳＩ)の報告について説明する。現在、ＬＴＥ標準では、チャネル状態情報無しで運用される開ループ(ｏｐｅｎ-ｌｏｏｐ)ＭＩＭＯと、チャネル状態情報に基づいて運用される閉ループ(ｃｌｏｓｅｄ-ｌｏｏｐ)ＭＩＭＯという２つの送信方式が存在する。特に、閉ループＭＩＭＯでは、ＭＩＭＯアンテナの多重化利得(多重化ｇａｉｎ)を得るために、基地局及び端末は、チャネル状態情報に基づいてビームフォーミングを行うことができる。基地局は、チャネル状態情報を端末から得るために、端末にＰＵＣＣＨ(Ｐｈｙｓｉｃａｌ Ｕｐｌｉｎｋ Ｃｏｎｔｒｏｌ ＣＨａｎｎｅｌ)又はＰＵＳＣＨ(Ｐｈｙｓｉｃａｌ Ｕｐｌｉｎｋ Ｓｈａｒｅｄ ＣＨａｎｎｅｌ)を割り当て、下りリンク信号に対するチャネル状態情報(ＣＳＩ)をフィードバックするように命令する。
【００５５】
ＣＳＩは、ＲＩ(Ｒａｎｋ Ｉｎｄｉｃａｔｏｒ)、ＰＭＩ(Ｐｒｅｃｏｄｉｎｇ Ｍａｔｒｉｘ Ｉｎｄｅｘ)、ＣＱＩ(Ｃｈａｎｎｅｌ Ｑｕａｌｉｔｙ Ｉｎｄｉｃａｔｉｏｎ)の３つの情報に大別される。先ず、ＲＩは、上述のように、チャネルのランク情報を示し、端末が同一の周波数−時間リソースによって受信できるストリーム数を意味する。また、ＲＩは、チャネルの長期フェーディング(ｌｏｎｇ ｔｅｒｍ ｆａｄｉｎｇ)によって決定されるため、通常、ＰＭＩ、ＣＱＩ値よりも長い周期で基地局にフィードバックされる。
【００５６】
次に、ＰＭＩはチャネルの空間特性を反映した値であって、ＳＩＮＲなどのメトリック(ｍｅｔｒｉｃ)を基準として端末が選好するプリコーディング行列インデックスを示す。最後に、ＣＱＩはチャネルの強度を示す値であって、通常、基地局がＰＭＩを用いるときに得られる受信ＳＩＮＲのことを意味する。
【００５７】
３ＧＰＰ ＬＴＥ−Ａシステムにおいて、基地局は、複数のＣＳＩプロセスをＵＥに設定して、各プロセスに対するＣＳＩが報告される。ここで、ＣＳＩプロセスは、基地局からの信号品質の特定のためのＣＳＩ−ＲＳリソースと干渉測定のためのＣＳＩ−ＩＭ(ｉｎｔｅｒｆｅｒｅｎｃｅ ｍｅａｓｕｒｅｍｅｎｔ)リソース、即ち、ＩＭＰ(ｉｎｔｅｒｆｅｒｅｎｃｅ ｍｅａｓｕｒｅｍｅｎｔ ｒｅｓｏｕｒｃｅ)で構成される。
【００５８】
Ｍｉｌｌｉｍｅｔｅｒ Ｗａｖｅ(ｍｍＷ)では波長が短くなるため、同面積に多数のアンテナ要素の設置が可能である。具体的には、３０ＧＨｚ帯域において波長は１ｃｍであって、４ ｂｙ ４ｃｍのパネル(ｐａｎｅｌ)に０．５ｌａｍｂｄａ(波長)間隔で２Ｄ(ｄｉｍｅｎｓｉｏｎ)配列である全６８(８×８)のアンテナ要素を設けることができる。これにより、ｍｍＷ分野における最近の動向では、多数のアンテナ要素を使用してＢＦ(ｂｅａｍｆｏｒｍｉｎｇ)利得を上げてカバレッジを増加させたり、或いはスループット(ｔｈｒｏｕｇｈｐｕｔ)を増加させたりすることを試みている。
【００５９】
この時、アンテナ要素別に送信パワー及び位相の調節ができるように、ＴＸＲＵ(Ｔｒａｎｓｃｅｉｖｅｒ Ｕｎｉｔ)を備える場合、周波数リソース別に独立したビームフォーミングが可能である。しかし、１００余個の全てのアンテナ要素にＴＸＲＵを設けることは費用面で実効性に乏しい問題がある。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビームフォーミング方式では全帯域において１つのビーム方向のみが形成できるので、周波数選択的なビームフォーミングができないというデメリットがある。
【００６０】
デジタルＢＦとアナログＢＦの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素の連結方式によって差はあるが、同時に送信可能なビームの方向はＢ個以下に制限される。
【００６１】
図７は、ＴＸＲＵとアンテナ要素の連結方式の一例を示す図である。
【００６２】
図７(ａ)は、ＴＸＲＵがサブアレイ(ｓｕｂ−ａｒｒａｙ)に連結された方式を示している。この場合、アンテナ要素は１つのＴＸＲＵにのみ連結される。これとは異なり、図７(ｂ)は、 ＴＸＲＵが全てのアンテナ要素に連結された方式を示している。この場合、アンテナ要素は全てのＴＸＲＵに連結される。図７において、Ｗはアナログ位相シフターにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−多である。
【００６３】
より多い通信機器がより大きい通信容量を要求することにより、既存のＲＡＴ(ｒａｄｉｏ ａｃｃｅｓｓ ｔｅｃｈｎｏｌｏｇｙ)に比べて向上した無線広帯域通信に対する必要性が台頭しつつある。また、複数の機器及びモノを連結していつでもどこでも様々なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)が次世代通信において考慮される主なイッシュの１つである。のみならず、信頼度(ｒｅｌｉａｂｉｌｉｔｙ)及びレイテンシ(ｌａｔｅｎｃｙ)に敏感なサービス／ＵＥを考慮した通信システムデザインが提示されている。これを考慮した次世代ＲＡＴの導入が論議されており、本発明では、便宜のために、Ｎｅｗ  ＲＡＴと称する。
【００６４】
ＴＤＤシステムにおいてデータ送信レイテンシを最小化するために５世代ＮｅｗＲＡＴでは、図８のような自己完結型サブフレームの構造を考慮している。図８は、自己完結型サブフレームの構造の一例を示す図である。
【００６５】
図８において、斜線領域は下りリンク制御領域を示し、黒塗り領域は上りリンク制御領域を示す。表示のない領域は、下りリンクデータ送信のために用いられてよく、上りリンクデータ送信のために用いられてもよい。この構造の特徴は、１つのサブフレームにおいて下りリンク送信と上りリンク送信とが順次に行われ、サブフレーム内で下りリンクデータを送信したり、上りリンクＡＣＫ／ＮＡＣＫを受信したりすることもできる。結果として、データ送信エラーが発生したとき、データの再送信までかかる時間を減らすことになり、これによって最終データ伝達のレイテンシを最小化することができる。
【００６６】
このような自己完結型スロット構造において、基地局とＵＥが送信モードから受信モードに切り替えられる過程、又は受信モードから送信モードに切り替えられる過程のためには、時間間隙(ｔｉｍｅ ｇａｐ)が必要である。そのために、自己完結型サブフレームスロット構造において、下りリンクから上りリンクに切り替えられる時点の一部のＯＦＤＭシンボル(ＯＦＤＭシンボル；ＯＳ)がＧＰ(ｇｕａｒｄ ｐｅｒｉｏｄ)として設定される。
【００６７】
ＮｅｗＲＡＴをベースとして動作するシステムにおいて、構成／設定が可能な上述した自己完結型サブフレームタイプの一例として、少なくとも以下のような４つのサブフレームタイプが考えられる。
【００６８】
−下りリンク制御区間＋下りリンクデータ区間＋ＧＰ＋上りリンク制御区間
【００６９】
−下りリンク制御区間＋下りリンクデータ区間
【００７０】
−下りリンク制御区間＋ＧＰ＋上りリンクデータ区間＋上りリンク制御区間
【００７１】
−下りリンク制御区間＋ＧＰ＋上りリンクデータ区間
【００７２】
本発明は、下りリンクと上りリンクがサブフレームのような基準時間単位内で互いに干渉として作用する場合、該当干渉を軽減又は管理する方法を提案する。
【００７３】
５世代ＮｅｗＲＡＴでは、サブフレーム単位のような基準時間単位内で下りリンク送信部分、ＧＰ、及び上りリンク送信部分で構成される形態を考慮できる。基地局では、トラピック条件又は周辺状況などによって基準時間単位を構成する上りリンク送信部分と下りリンク送信部分を調節することができる。一例として、下りリンク信号のみで構成されたＤｏｗｎｌｉｎｋ−ｏｎｌｙサブフレームで構成されることができる。また、上りリンク送信部分が下りリンク送信部分より大きい場合、下りリンク信号、ＧＰ、及び上りリンクデータ送信の目的を含む上りリンク信号で構成できる。反面、上りリンク送信部分が下りリンク送信部分より小さい場合には、下りリンク信号、ＧＰ、及び上りリンク制御情報(Ｕｐｌｉｎｋ Ｃｏｎｔｒｏｌ Ｉｎｆｏｒｍａｔｉｏｎ；ＵＣＩ)送信目的の上りリンクで構成することができる。この場合、ＵＣＩ(Ｕｐｌｉｎｋ Ｃｏｎｔｒｏｌ Ｉｎｆｏｒｍａｔｉｏｎ)送信目的の物理的チャネル(以下、ｘＰＵＣＣＨ)が送信される時間区間は、例えば、１又は２シンボルのように非常に制限的である。
【００７４】
信号送信に使用されるフレームは基準時間単位を構成する要素及び方法によって様々なフレーム構造を有する。フレーム構造はトラピック或いは基地局の指示によって半−静的(ｓｅｍｉ−ｓｔａｔｉｃ)に変更されるか、又は動的(ｄｙｎａｍｉｃ)に変更できる。また、複数のセルの間にフレーム構造は異なることができ、互いに異なるセルの間には送信タイミングや受信タイミングが非同期的に設定されることが一般である。
【００７５】
この時、互いに異なるセル間で上りリンク送信と下りリンク送信が衝突することができるが、この場合、下りリンクを受信する端末の立場では、他の端末の上りリンク送信が干渉として適用する。同様に、上りリンクを受信する基地局の立場では、他のセルの下りリンク送信が干渉として作用する。これを解決するための最も簡単な方法として、フレーム構造を半−静的に(ｓｅｍｉ−ｓｔａｔｉｃ)変更し、該当情報をセル間の共有により調整することが考えられるが、これはリソース活用の側面では非効率的である。
【００７６】
従って、本発明では、下りリンク送信と上りリンク送信の衝突によるセル間の干渉(ｉｎｔｅｒ−ｃｅｌｌ ｉｎｔｅｒｆｅｒｅｎｃｅ)或いはセル内の干渉(ｉｎｔｒａ−ｃｅｌｌ ｉｎｔｅｒｆｅｒｅｎｃｅ)を効率的に軽減できる方案を提案しようとする。
【００７７】
＜上りリンク信号と下りリンク信号の間のセル間干渉(ｉｎｔｅｒ−ｃｅｌｌ ｉｎｔｅｒｆｅｒｅｎｃｅ)を減少する方法−ＴＴＩ内の電力減少区間の設定＞
【００７８】
上述したように、信号の送信に使用されるフレームは、基準時間単位を構成する要素及び方法によって様々なフレーム構造を有し、各セルはセルごとに互いに異なるフレーム構造を使用することができる。
【００７９】
しかし、各セルがどのフレーム構造を使用しているかに関するフレーム構造使用情報は、セル間で直ちに共有されない。一例として、特定のセルがＤｏｗｎｌｉｎｋ−ｏｎｌｙサブフレームを用いている区間で、他のセルは下りリンク送信部分、ＧＰ、及び上りリンク送信部分で構成されたサブフレームを用いることができる。この場合、ＰＵＣＣＨを送信している端末の立場では、Ｄｏｗｎｌｉｎｋ−ｏｎｌｙサブフレームを用いているセルによる下りリンク干渉によって、ＰＵＣＣＨを受信する基地局端におけるＳＩＮＲが減少することができる。
【００８０】
特に、５世代ＮｅｗＲＡＴでは、ＵＣＩ送信のためのＰＵＣＣＨが送信される時間区間が非常に制限的である。よって、信頼性のある通信のために求められるＳＩＮＲが大きい。従って、他のセルの下りリンク干渉を減らす過程が重要である。
【００８１】
よって、本発明による実施例では、他のセルの特定の上りリンクチャネル送信を保護するための一環として、特定のセルがＤｏｗｎｌｉｎｋ−ｏｎｌｙ サブフレームを用いている場合にも、サブフレーム内に電力減少区間(Ｐｏｗｅｒ Ｒｅｄｕｃｔｉｏｎ Ｄｕｒａｔｉｏｎ)を設定する。言い換えれば、基地局は該当電力減少区間の間に他の領域に比べて電力を低くすることができ、これにより、他のセルの上りリンク送信時に下りリンクの干渉を軽減することができる。
【００８２】
具体的には、基地局は上位階層(ｈｉｇｈｅｒ ｌａｙｅｒ)により電力減少動作を適用するか否かを設定できる。また、電力減少動作が設定される場合、さらに下りリンク電力を異なるように設定できる区間情報を設定することができる。この時、周辺のセル間の送受信タイミングが同期式である場合は、電力減少区間に対するシグナリング無しに実際の上りリンク送信位置或いは予約された(ｒｅｓｅｒｖｅｄ)上りリンク送信位置に対して電力減少区間が設定されることができる。この時、送信される上りリンクはＰＵＣＣＨであることができる。一方、周辺のセル間の送受信タイミングが非同期式である場合には、電力減少区間を上位階層で設定することができる。
【００８３】
なお、下りリンク電力を設定する場合、基地局は電力減少区間として設定された区間と設定されない区間について互いに独立して電力を設定することができる。或いは、基地局の電力減少区間に対する電力制御又は電力割り当ては、電力減少区間として設定されない領域に対する電力制御を基準として追加オフセット又は追加比率(ｒａｔｉｏ)値を考慮して設定することができる。一方、端末はＰＤＳＣＨなどのように単一データの送信中に変更可能な電力を認知してＱＡＭ復号化(ｄｅｍｏｄｕｌａｔｉｏｎ)を適切に行うことができる。
【００８４】
具体的には、電力減少区間に対して設定された電力が該当区間以外の領域における電力より一定の水準以上小さく設定された場合は、単一のＰＤＳＣＨがマッピングされることが非効率的である。よって、かかる場合には、基地局は電力減少区間として設定された区間と設定されない区間の各々に対して、個々にコーディング(ｃｏｄｉｎｇ)を適用してマッピングを行うことができる。例えば、電力減少区間に対して別の伝送ブロック(Ｔｒａｎｓｐｏｒｔ Ｂｌｏｃｋ；ＴＢ)が割り当てられることができ、該当伝送ブロックは電力減少区間に対応する下りリンク信号にマッピングされることができる。
【００８５】
さらに他の例として、下りリンクデータに割り当てられた伝送ブロックを特定基準或いは上位階層シグナリングによる設定値によって、電力減少区間にマッピングされる伝送ブロック部分とそれ以外の部分にマッピングされる伝送ブロック部分とに分けられることができる。ここで、特定基準は下りリンクデータのシンボル占有比率であることができ、上位階層シグナリングによる設定値は電力減少区間とそれ以外の区間に割り当てられる電力比率値であることができる。また、電力減少区間によって伝送ブロックが分かれながら、電力減少区間にマッピングされる伝送ブロックとそれ以外の部分にマッピングされる伝送ブロックに対するＤＣＩが各々送信されることができる。
【００８６】
即ち、図９のように、基地局は電力減少区間を設定し(Ｓ９０１)、電力減少区間にマッピングされる第１伝送ブロックと電力減少区間以外の区間にマッピングされる第２伝送ブロックを区分することができる(Ｓ９０３)。また区分された第１伝送ブロックと第２伝送ブロックの各々にＰＤＳＣＨをマッピングし(Ｓ９０５)、各々の伝送ブロックを設定されたサイズの電力で端末に送信することができる(Ｓ９０７)。
【００８７】
なお、本発明の実施例では下りリンク電力制御及び下りリンク電力割り当ての立場で説明したが、上りリンク電力制御の立場にも実施例を拡張又は適用できることが明らかである。また、上述した実施例ではＰＵＣＣＨ送信を例示したが、ＰＵＳＣＨ或いはＳＲＳ(Ｓｏｕｎｄｉｎｇ Ｒｅｆｅｒｅｎｃｅ Ｓｉｇｎａｌ)のような他の上りリンクチャネルも保護対象になり得る。
【００８８】
さらに他の実施例では、下りリンク/上りリンク電力制御、或いは下りリンク／上りリンク電力割り当てを行うにおいて、互いを考慮することができる。即ち、下りリンクの電力制御時に上りリンクの電力制御を考慮でき、下りリンクの電力割り当てにおいて上りリンクの電力割り当てを考慮することができる。
【００８９】
例えば、優先順位によって、重要度が低い情報を含む信号の電力を減少できる。具体的には、上りリンクに送信される信号の重要度が下りリンクに送信される信号の重要度より低い場合は、上りリンクの電力を減少し、逆の場合には下りリンクの電力を減少することができる。
【００９０】
この時、優先順位、即ち送信の重要度は、上りリンク又は下りリンクに送信される情報の種類によって設定される。また、かかる優先順位は上位階層シグナリングにより設定するか、又は予め設定されることができる。
【００９１】
既存のＬＴＥシステムでは、強い干渉指標(Ｈｉｇｈ Ｉｎｔｅｒｆｅｒｅｎｃｅ Ｉｎｄｉｃａｔｏｒ；ＨＩＩ)、過負荷指標(Ｗｉｄｅ Ｏｖｅｒｌｏａｄ ｉｎｄｉｃａｔｏｒ；ＯＩ)などのようなセル間の干渉を考慮する情報を互いに異なるセル間で交換し、この交換された情報を用いて上りリンク電力制御を行った。また、下りリンクの場合にも、ＲＮＴＰ(Ｒｅｌａｔｉｖｅ Ｎａｒｒｏｗｂａｎｄ Ｔｘ Ｐｏｗｅｒ Ｉｎｄｉｃａｔｏｒ)のような情報の交換が可能であった。
【００９２】
一方、次世代ＮｅｗＲＡＴシステムでは、周辺のセル間に同じ時点で下りリンクと上りリンクが流動的に使用されることができる。従って、互いに異なるセルの間で行われる干渉に関する情報交換が下りリンク間の交換或いは上りリンク間の交換に限定されない。即ち、下りリンクの送信時点に下りリンクに対する干渉情報のみを交換するか、又は上りリンクの送信時点に上りリンクに対する干渉情報のみを交換することと限定されないことができる。言い換えれば、下りリンクの送信時点に周辺のセルの下りリンクと上りリンクに対する干渉情報を交換して電力制御時に活用することができる。同様に、上りリンクの送信時点にも周辺のセルの下りリンクと上りリンクに対する干渉情報を交換して電力制御時に活用することができる。また、電力減少区間ではフレーム構造とは関係なく下りリンクの送信を省略することができる。
【００９３】
なお、フレーム構造が動的に変更される場合は、一般的に、周辺のセルで実際に上りリンク送信が行われる時点を直ちに分かることができない。この場合にも、電力減少動作が電力減少区間で行われると、実際周辺のセルで上りリンクの送信がない場合にも無駄に下りリンクの電力を減らす現象が発生し得る。
【００９４】
この時、セル間の理想的な帰路(ｉｄｅａｌ ｂａｃｋｈａｕｌ)が仮定されると、電力減少区間に関する情報又は該当区間における電力情報を動的に設定することができる。もし、セル間の理想的な帰路が仮定されないと、特定のＤＣＩ或いはＤＣＩ内の特定フィールドを用いて上りリンクの送信有無を指示するか、又は電力減少動作に関する情報を指示することができる。また、ＤＣＩオーバーヘッドを考慮して上りリンクを送信しない区間或いは電力減少動作を行わない区間に対する１つ以上の候補群を上位階層により予め設定することもできる。
【００９５】
さらに他の例として、セルは互いにトラピック統計値などの情報を交換することができ、これに基づいて特定の時点に電力減少区間を再設定することができる。即ち、電力減少区間に関する情報又は該当区間における電力情報が上位階層シグナリングにより設定されても、特定の時点にセル間で交換された情報に基づいて電力減少区間を再設定することができる。
【００９６】
本発明の実施例では、周辺のセルに対する送受信を保護するために、特定の区間に電力を独立して異なるように設定することについて説明した。しかし、上述とは異なる方式で特定区間を設定し、その区間についてビーム方向(ｂｅａｍ ｄｉｒｅｃｔｉｏｎ)、ビームパターン(ｂｅａｍ ｐａｔｔｅｒｎ)、アナログビームフォーミング(ａｎａｌｏｇ ｂｅａｍ ｆｏｒｍｉｎｇ)などを適用又は設定することもできる。一例として、特定の下りリンクデータ送信について、複数の適合ビーム方向があるとした時、単一の下りリンクデータの送信時に、特定の区間で適用するビーム方向と残りの区間で適用するビーム方向とが異なることができる。
【００９７】
＜上りリンク信号と下りリンク信号の間のセル内干渉(ｉｎｔｒａ−ｃｅｌｌ ｉｎｔｅｒｆｅｒｅｎｃｅ)を減少する方法＞
【００９８】
次世代ＮｅｗＲＡＴでは、基地局の立場で下りリンク送信と上りリンク受信を同じ周波数リソース或いは同時間リソースで同時に発生する動作、即ち全二重式動作(Ｆｕｌｌ−ｄｕｐｌｅｘ ｏｐｅｒａｔｉｏｎ)が導入されることができ、この場合、単一のセル内でも下りリンクと上りリンクの間に互いに干渉を起こす状況が発生し得る。
【００９９】
一例として、フレーム構造は、セル特定(Ｃｅｌｌ−ｓｐｅｃｉｆｉｃ)の動作の代わりに、端末特定(ＵＥ−ｓｐｅｃｉｆｉｃ)又は端末グループ特定(ＵＥ−ｇｒｏｕｐ−ｓｐｅｃｉｆｉｃ)の動作であることができる。即ち、特定の端末にはＤｏｗｎｌｉｎｋ−ｏｎｌｙサブフレームを割り当てながら、同時に他の端末には下りリンク送信部分、ＧＰ、及び上りリンク送信部分で構成されたサブフレームを割り当てることができる。かかる状況において、特定の端末がＤｏｗｎｌｉｎｋ−ｏｎｌｙサブフレームから下りリンクを受信するとした時、他の端末からの上りリンク送信によって干渉が発生する場合、下りリンク受信性能の劣化が発生することができる。
【０１００】
かかる下りリンク受信性能の劣化を防止するために、下りリンクデータ送信時、送信フレームが大きく２つの部分に分かれる。一方はフレーム構造に関係なく下りリンクに維持されるか又はＰＵＣＣＨと衝突しない部分であり、他の一方はフレーム構造によって上りリンクに設定されるか又はＰＵＣＣＨ送信が行われることができる部分である。このように区分された２つの部分については、単一の下りリンクデータ送信であっても、マッピング方法及び送信方法を異なるようにすることができる。
【０１０１】
例えば、フレーム構造によって、最後の１又は２シンボルのように、ＰＵＣＣＨで送信可能な部分については下りリンク送信の場合にもＰＵＣＣＨとＣＤＭ可能な形態で送信することができる。言い換えれば、シーケンス基盤の循環シフト(Ｃｙｃｌｉｃ Ｓｈｉｆｔ)或いは直交カバーコード(Ｏｒｔｈｏｇｏｎａｌ Ｃｏｖｅｒ Ｃｏｄｅ；ＯＣＣ)を適用する方式で上りリンク送信と下りリンク送信の間のＣＤＭを支援できる。この時、上りリンク送信の全部分と下りリンク送信の全部分がＣＤＭされることができるが、上りリンク送信の全部分と下りリンク送信の一部分がＣＤＭされることもできる。
【０１０２】
一方、単一の下りリンクデータ送信(即ち、ＰＤＳＣＨ送信)の場合、区間によって送信方法が異なることができる。例えば、特定の区間には一般的な下りリンク送信方法が適用され、他の区間には下りリンク送信と上りリンク送信の間のＣＤＭ方式が適用されて送信されることができる。この時、伝送ブロックの割り当ては、各送信方法に対応する区間ごとに別の伝送ブロックが割り当てられ、単一の伝送ブロックが各区間のサイズによって、又は上位階層で設定した情報によって区分されて割り当てられることもできる。ここで、上位階層で設定した情報は各区間ごとのサイズの比率であることができる。この時、ＣＤＭ基盤の下りリンク送信部分の循環シフト値又は直交カバーコード値は予め固定されるか、又は該当ＰＤＳＣＨに対するＤＣＩの指示値により設定されることができる。
【０１０３】
上述した本発明による実施例の各々の方法は、セル間の干渉又はセル内の干渉に限られず、状況とは関係なく上記実施例を適用できる。
【０１０４】
図１１を参照すると、通信装置１１００は、プロセッサ１１１０、メモリ１１２０、ＲＦモジュール１１３０、ディスプレイモジュール１１４０及びユーザインターフェースモジュール１１５０を備える。
【０１０５】
通信装置１１００は説明の便宜のために示されたもので、一部のモジュールは省略されてもよい。また、通信装置１１００は必要なモジュールをさらに備えてもよい。また、通信装置１１００において、一部のモジュールはより細分化したモジュールに区分されてもよい。プロセッサ１１１０は、図面を参照して例示した本発明の実施例に係る動作を実行するように構成される。具体的に、プロセッサ１１１０の詳細な動作は、図１乃至図１０に記載された内容を参照するとよい。
【０１０６】
メモリ１１２０は、プロセッサ１１１０に接続し、オペレーティングシステム、アプリケーション、プログラムコード、データなどを格納する。ＲＦモジュール１１３０は、プロセッサ１１１０に接続し、基底帯域信号を無線信号に変換したり、無線信号を基底帯域信号に変換する機能を果たす。そのために、ＲＦモジュール１１３０は、アナログ変換、増幅、フィルタリング及び周波数アップ変換又はこれらの逆手順を行う。ディスプレイモジュール１１４０は、プロセッサ１１１０に接続し、様々な情報をディスプレイする。ディスプレイモジュール１１４０は、特に制限されるものではなく、ＬＣＤ(Ｌｉｑｕｉｄ Ｃｒｙｓｔａｌ Ｄｉｓｐｌａｙ)、ＬＥＤ(Ｌｉｇｈｔ Ｅｍｉｔｔｉｎｇ Ｄｉｏｄｅ)、ＯＬＥＤ(Ｏｒｇａｎｉｃ Ｌｉｇｈｔ Ｅｍｉｔｔｉｎｇ Ｄｉｏｄｅ)のような周知の要素を用いることができる。ユーザインターフェースモジュール１１５０は、プロセッサ１１１０に接続し、キーパッド、タッチスクリーンなどのような周知のユーザインターフェースの組み合わせで構成可能である。
【０１０７】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１０８】
本文書で基地局によって行われるとした特定動作は、場合によってはその上位ノード(ｕｐｐｅｒ ｎｏｄｅ)によって行われることもある。即ち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１０９】
本発明に係る実施例は、様々な手段、例えば、ハードウェア、ファームウェア(ｆｉｒｍｗａｒｅ)、ソフトウェア又はそれらの結合などによって具現することができる。ハードウェアによる具現では、本発明の一実施例は、一つ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１１０】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１１１】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１１２】
以上のような無線通信システムにおいて、上りリンク制御情報を送信する方法及びそのための装置は、５世代Ｎｅｗ ＲＡＴシステムに適用される例を中心として説明したが、５世代Ｎｅｗ ＲＡＴシステム以外にも様々な無線通信システムに適用することができる。
【図１】
2019533349.tif 000003
【図２】
2019533349.tif 000004
【図３】
2019533349.tif 000005
【図４】
2019533349.tif 000006
【図５】
2019533349.tif 000007
【図６】
2019533349.tif 000008
【図７（Ａ）】
2019533349.tif 000009
【図７（Ｂ）】
2019533349.tif 000010
【図８】
2019533349.tif 000011
【図９】
2019533349.tif 000012
【図１０】
2019533349.tif 000013
【国際調査報告】
2019533349.tif 000014
2019533349.tif 000015
2019533349.tif 000016
2019533349.tif 000017
2019533349.tif 000018
2019533349.tif 000019